(57)【要約】  本発明は、発光ダイオード制御回路及び発光装置に関するものである。  本発明に従う発光ダイオード制御回路は、赤色ＬＥＤ、緑色ＬＥＤ、及び青色ＬＥＤと、２ビット組合せによって第１及び第２制御信号を出力するドライバーと、上記ドライバーから出力される第１及び第２制御信号の状態によって上記ＬＥＤを順次にオン／オフさせる駆動回路と、を含む。
2010524252.tif 000002
【特許請求の範囲】
【請求項１】
赤色ＬＥＤ、緑色ＬＥＤ、及び青色ＬＥＤと、
２ビット組合せによって第１及び第２制御信号を出力するドライバーと、
前記ドライバーから出力される第１及び第２制御信号の状態によって前記ＬＥＤを順次にオン／オフさせる駆動回路と、
を含むことを特徴とする発光ダイオード制御回路。
【請求項２】
前記赤色ＬＥＤ、緑色ＬＥＤ、及び青色ＬＥＤのうち、少なくとも１つ以上を含むことを特徴とする請求項１に記載の発光ダイオード制御回路。
【請求項３】
前記赤色ＬＥＤ、緑色ＬＥＤ、及び青色ＬＥＤは、チップ形態で１つのパッケージに含まれることを特徴とする請求項１に記載の発光ダイオード制御回路。
【請求項４】
前記駆動回路は、前記第１及び第２制御信号により前記ＬＥＤをオフモードまたはオンモードで各々駆動させることを特徴とする請求項１に記載の発光ダイオード制御回路。
【請求項５】
前記駆動回路は、
前記第１制御信号を反転して出力する第１反転論理素子と、
前記第２制御信号を反転して出力する第２反転論理素子と、
前記第１制御信号と第２反転論理素子の出力信号を論理積演算して出力する第１ＡＮＤ論理素子と、
前記第１反転論理素子の出力信号と第２制御信号を論理積演算して出力する第２ＡＮＤ論理素子と、
前記第１制御信号と第２制御信号を論理積演算して出力する第３ＡＮＤ論理素子と、
を含むことを特徴とする請求項１に記載の発光ダイオード制御回路。
【請求項６】
前記第１乃至第３ＡＮＤ論理素子は、第１乃至第３のＬＥＤの第１電極にそれぞれ連結されることを特徴とする請求項５に記載の発光ダイオード制御回路。
【請求項７】
前記ドライバーは、ビット組合せを有する前記第１制御信号及び第２制御信号を１つの周期または１つのフレーム中に出力することを特徴とする請求項１に記載の発光ダイオード制御回路。
【請求項８】
キャビティーを含むパッケージボディーと、
前記キャビティーの内部に配置された第１乃至第３の色のＬＥＤと、
前記パッケージボディーの所定の部分に第１乃至第３の色のＬＥＤの第１電極に各々連結され、前記第１乃至第３の色のＬＥＤをオン／オフさせる駆動回路と、
前記パッケージボディーの一方の側に配置され、前記駆動回路に連結された複数個の制御信号端子と、
前記パッケージボディーの他方の側に配置され、第１乃至第３の色のＬＥＤの第２電極に連結された接地端子と、
を含むことを特徴とする発光装置。
【請求項９】
前記パッケージボディーは、多層基板またはシリコン材料を含むことを特徴とする請求項８に記載の発光装置。
【請求項１０】
前記駆動回路は、２つの制御信号端子に入力される２つの制御信号の状態によって前記第１乃至第３の色のＬＥＤを順次にオン及びオフすることを特徴とする請求項８に記載の発光装置。
【請求項１１】
前記第１乃至第３の色のＬＥＤは、チップ形態の赤色ＬＥＤ、緑色ＬＥＤ、及び青色ＬＥＤを含むことを特徴とする請求項８に記載の発光装置。
【請求項１２】
前記駆動回路は、
前記第１制御信号端子に連結された第１反転論理素子と、
前記第２制御信号端子に連結された第２反転論理素子と、
前記第１制御信号と第２反転論理素子の出力信号を論理積演算して第１の色のＬＥＤの第１電極に出力する第１ＡＮＤ論理素子と、
前記第１反転論理素子の出力信号と第２制御信号を論理積演算して第２の色のＬＥＤの第１電極に出力する第２ＡＮＤ論理素子と、
前記第１制御信号と第２制御信号を論理積演算して第３の色のＬＥＤの第１電極に出力する第３ＡＮＤ論理素子と、
を含むことを特徴とする請求項８に記載の発光装置。
【請求項１３】
第１乃至第３の色のＬＥＤチップを含む発光ダイオードがアレイ形態で配列された基板と、
４個の信号ラインで前記ＬＥＤチップの第１電極及び第２電極に連結され、前記ＬＥＤチップを順次に駆動させる駆動回路と、
２ビットの組合せ形態で前記駆動回路に第１及び第２制御信号を出力するドライバーと、
を含むことを特徴とする発光装置。
【請求項１４】
前記駆動回路は、前記基板の一方の側に含まれることを特徴とする請求項１３に記載の発光装置。
【請求項１５】
前記基板が配置されたボトムカバーを含むことを特徴とする請求項１３に記載の発光装置。
【請求項１６】
前記ボトムカバーの上には、拡散シート、プリズムシートのうち、少なくとも１つを含むことを特徴とする請求項１５に記載の発光装置。
【請求項１７】
前記基板の一方の側に配置された光ガイドプレートを含むことを特徴とする請求項１５に記載の発光装置。
【請求項１８】
前記光ガイドプレートの上に光学シートを含み、前記光ガイドプレートの下に反射プレートを含むことを特徴とする請求項１７に記載の発光装置。
【請求項１９】
前記駆動回路は、
前記第１制御信号を反転させる第１反転論理素子と、
前記第２制御信号を反転させる第２反転論理素子と、
前記第１制御信号と第２反転論理素子の出力信号を論理積演算して第１の色のＬＥＤチップの第１電極に出力する第１ＡＮＤ論理素子と、
前記第１反転論理素子の出力信号と第２制御信号を論理積演算して第２の色のＬＥＤチップの第１電極に出力する第２ＡＮＤ論理素子と、
前記第１制御信号と第２制御信号を論理積演算して第３の色のＬＥＤチップの第１電極に出力する第３ＡＮＤ論理素子と、
を含むことを特徴とする請求項１３に記載の発光装置。
【請求項２０】
前記第１乃至第３の色のＬＥＤチップは、赤色ＬＥＤチップ、緑色ＬＥＤチップ、及び青色ＬＥＤチップを含むことを特徴とする請求項１３に記載の発光装置。
【発明の詳細な説明】
【技術分野】
【０００１】
本発明は、発光ダイオード制御回路及びこれを備えた発光装置に関するものである。
【背景技術】
【０００２】
ＬＥＤ（Light Emitting Diode）は、ＧａＡｓ系列、ＡｌＧａＡｓ系列、ＧａＮ系列、ＩｎＧａＮ系列、及びＩｎＧａＡｌＰ系列などの化合物半導体材料を用いて多様な色の光源を具現することができる。このようなＬＥＤは、１つ以上用いて固有の色や多様な色を表示する点灯表示器、文字表示器、及び映像表示器（例：ＬＣＤ等）などの多様な分野に適用されている。
【発明の概要】
【発明が解決しようとする課題】
【０００３】
本発明は、発光ダイオードを色に従って順次に制御できる発光ダイオード制御回路、及びこれを備えた発光装置を提供することをその目的とする。
【０００４】
本発明の他の目的は、２ビットの制御信号の状態に従い、赤色ＬＥＤ、緑色ＬＥＤ、青色ＬＥＤのオン／オフを順次に制御できる発光ダイオード制御回路及びこれを備えた発光装置を提供することにある。
【課題を解決するための手段】
【０００５】
本発明に従う発光ダイオード制御回路は、赤色ＬＥＤ、緑色ＬＥＤ、及び青色ＬＥＤと、２ビット組合せによって第１及び第２制御信号を出力するドライバーと、上記ドライバーから出力される第１及び第２制御信号の状態に従い、上記ＬＥＤを順次にオン／オフさせる駆動回路と、を含む。
【０００６】
本発明に従う発光装置は、キャビティーを含むパッケージボディーと、上記キャビティーの内部に配置された第１乃至第３の色のＬＥＤと、上記パッケージボディーの所定の部分に第１乃至第３の色のＬＥＤの第１電極に各々連結され、上記第１乃至第３の色のＬＥＤをオン／オフさせる駆動回路と、上記パッケージボディーの一方の側に配置され、上記駆動回路に連結された複数個の制御信号端子と、上記パッケージボディーの他方の側に配置され、第１乃至第３の色のＬＥＤの第２電極に連結された接地端子と、を含む。
【０００７】
本発明に従う発光装置は、第１乃至第３の色のＬＥＤチップを含む発光ダイオードがアレイ形態で配列された基板と、４個の信号ラインで上記ＬＥＤチップの第１電極及び第２電極に連結され、上記ＬＥＤチップを順次に駆動させる駆動回路と、２ビットの組合せ形態で上記駆動回路に第１及び第２制御信号を出力するドライバーと、を含む。
【発明の効果】
【０００８】
本発明によれば、２ビットの制御信号で、赤色ＬＥＤ、緑色ＬＥＤ、及び青色ＬＥＤの点灯を制御することができる。
【０００９】
本発明によれば、２ビットの制御信号で、赤色ＬＥＤ、緑色ＬＥＤ、及び青色ＬＥＤを順次にオン／オフ制御することができる。
【００１０】
本発明によれば、三色のＬＥＤの両電極を４個の信号ラインに連結することによって、基板のラインパターンが簡単になり、基板上の空間確保が容易であるという効果がある。
【００１１】
本発明によれば、ＦＳＣ方式の表示装置に適用される発光ダイオード制御回路及びこれを備えた発光装置を提供することができる。
【図面の簡単な説明】
【００１２】
【図１】本発明に従う発光ダイオード制御回路を示す構成図である。
【図２】図１の駆動回路を備えた発光装置を示す平面図である。
【図３】図２のＡ−Ａ断面図である。
【図４】図１の駆動回路を備えたサイドビュー型照明ユニットを用いた表示装置を示す図である。
【図５】図１の駆動回路を備えたトップビュー型照明ユニットを用いた表示装置を示す図である。
【図６】図５の発光部の一例を示す平面図である。
【発明を実施するための形態】
【００１３】
以下、添付された図面を参照しつつ説明すれば、次の通りである。
【００１４】
図１は、本発明に従う発光ダイオード制御回路を示す図である。
【００１５】
図１を参照すると、制御回路１０１は、発光ダイオード部１３０、ドライバー１４０、及び駆動回路１５０を含む。
【００１６】
発光ダイオード部１３０は、赤色発光ダイオード１３１、緑色発光ダイオード１３２、及び青色発光ダイオード１３３を含む。赤色、緑色、及び青色発光ダイオード１３１、１３２、１３３のうち、少なくとも１つ以上を含む。このような赤色、緑色、及び青色発光ダイオード１３１、１３２、１３３は、駆動回路１５０により互いに異なる時間にオンされる。ここで、上記発光ダイオード部１３０は、三色の発光ダイオード（赤色ＬＥＤ、緑色ＬＥＤ、及び青色ＬＥＤ）に制限されず、他の色の発光ダイオード（例：黄色ＬＥＤ）に変更しまたは他の色の発光ダイオードを追加することもできる。
【００１７】
ドライバー１４０は、電力（Power）を２ビットの制御信号Ｓ１、Ｓ２のビット組合せに変換することより駆動回路１５０に電力を出力する。駆動回路１５０は制御信号Ｓ１、Ｓ２により発光ダイオード１３１、１３２、１３３の動作を順次に制御するようになる。
【００１８】
ドライバー１４０は、２つの制御信号Ｓ１、Ｓ２を２ビットの論理信号で出力するようになる。ここで、２ビットの論理信号は、００、１０、０１、１１の状態を含む。信号１状態はハイレバルであり、信号０状態はローレベルである。
【００１９】
ドライバー１４０は、第１制御信号Ｓ１と第２制御信号Ｓ２を００、１０、０１、１１の順に時分割して駆動回路１５０に出力するようになる。このようなドライバー１４０は、２ビットの組合せで出力される制御信号Ｓ１、Ｓ２を１周期または１フレームで出力するようになる。
【００２０】
駆動回路１５０は、ドライバー１４０と発光ダイオード１３１、１３２、１３３との間に連結され、ドライバー１４０から出力される第１及び第２制御信号Ｓ１、Ｓ２の状態に従い発光ダイオード１３１、１３２、１３３を順次に駆動するようになる。
【００２１】
駆動回路１５０は、反転論理素子１５１、１５２とＡＮＤ論理素子１５３、１５４、１５５とを含む。
【００２２】
反転論理素子１５１、１５２は、１つの入力信号を反転された信号で出力するインバータとして機能し、第１制御信号Ｓ１を反転する第１反転論理素子１５１と第２制御信号Ｓ２を反転する第２反転論理素子１５２とを含む。
【００２３】
ＡＮＤ論理素子１５３、１５４、１５５は、２つの入力信号を論理積演算して１つの信号で出力するようになるＡＮＤゲートで具現することができ、第１乃至第３ＡＮＤ論理素子１５３、１５４、１５５を含む。
【００２４】
第１乃至第３ＡＮＤ論理素子１５３、１５４、１５５は、赤色発光ダイオード１３１、緑色発光ダイオード１３２、及び青色発光ダイオード１３３にそれぞれ連結される。反転論理素子１５１、１５２とＡＮＤ論理素子１５３、１５４、１５５は、トランジスタの組合せ回路で具現できる。
【００２５】
ここで、反転論理素子１５１、１５２とドライバー１４０との間や反転論理素子１５１、１５２の入力端、または第１乃至第３ＡＮＤ論理素子１５３、１５４、１５５の入力端にはバッファーを配置できる。
【００２６】
第１反転論理素子１５１は、第１制御信号Ｓ１を反転させて、反転した第１制御信号を第２ＡＮＤ論理素子１５４に出力し、第２反転論理素子１５２は第２制御信号Ｓ２を反転させて、反転した第２制御信号を第１ＡＮＤ論理素子１５３に出力するようになる。
【００２７】
第１ＡＮＤ論理素子１５３は、入力された第１制御信号Ｓ１と第２反転論理素子１５３の反転信号を論理積演算して結果的に得られる信号を赤色発光ダイオード１３１の第１電極１２１に出力する。
【００２８】
第２ＡＮＤ論理素子１５４は、入力された第１反転論理素子１５３の反転信号と第２制御信号Ｓ２を論理積演算して、結果的に得られる信号を緑色発光ダイオード１３２の第１電極１２２に出力する。
【００２９】
第３ＡＮＤ論理素子１５５は、入力された第１制御信号Ｓ１と第２制御信号Ｓ２を論理積演算して、結果的に得られる信号を青色発光ダイオード１３３の第１電極１２３に出力するようになる。
【００３０】
赤色、緑色、及び青色発光ダイオード１３１、１３２、１３３は、第１電極１２１、１２２、１２３に印加される信号により駆動される。赤色、緑色、及び青色発光ダイオード１３１、１３２、１３３の第２電極１２４は接地端子ＧＮＤに連結される。
【００３１】
このような駆動回路１５０は、２つの制御信号端子と１つの接地端子ＧＮＤとを用いて赤色／緑色／青色発光ダイオード１３１、１３２、１３３をオン／オフさせることができる。このような駆動回路１５０の素子配置や発光ダイオードのオン／オフ順序を変更することができ、これに限定しない。
【００３２】
＜表１＞は、ドライバーの制御信号と駆動回路による発光ダイオードの動作モードの例を示すものである。
【００３３】
【表１】
2010524252.tif 000003
【００３４】
＜表１＞を参照すると、ドライバー１４０の第１制御信号Ｓ１と第２制御信号Ｓ２が００状態で駆動回路１５０に入力されれば、第１反転論理素子１５１と第２反転論理素子１５２はハイ信号を出力するようになる。この際、第１乃至第３ＡＮＤ論理素子１５３、１５４、１５５は、入力された第１制御信号Ｓ１または第２制御信号Ｓ２によりロー信号を出力するようになる。これによって、全ての発光ダイオード１３１、１３２、１３３はオフ状態となる。
【００３５】
ドライバー１４０の第１制御信号Ｓ１と第２制御信号Ｓ２が１０状態で駆動回路１５０に入力されれば、第１アンド論理素子１５３は第１制御信号Ｓ１と第２反転論理素子１５２の反転信号を論理積演算してハイ信号を赤色発光ダイオード１３１に出力する。これによって、赤色発光ダイオード１３１はオン状態となり、他の発光ダイオード１３２、１３３はオフ状態となる。
【００３６】
ドライバー１４０の第１制御信号Ｓ１と第２制御信号Ｓ２が０１状態で駆動回路１５０に入力されれば、第２アンド論理素子１５４は第１反転論理素子１５１の反転信号と第２制御信号Ｓ２を論理積演算してハイ信号を緑色発光ダイオード１３２に出力するようになる。これによって、緑色発光ダイオード１３２はオン状態となり、他の発光ダイオード１３１、１３３はオフ状態となる。
【００３７】
ドライバー１４０の第１制御信号Ｓ１と第２制御信号Ｓ２とが１１状態で駆動回路１５０に入力されれば、第３アンド論理素子１５５は第１制御信号Ｓ１と第２制御信号Ｓ２とを論理積演算してハイ信号を青色発光ダイオード１３３に出力するようになる。これによって、青色発光ダイオード１３３はオン状態となり、他の発光ダイオード１３１、１３２はオフ状態となる。
【００３８】
駆動回路１５０は、２ビットの制御信号Ｓ１、Ｓ２の論理状態に従いＬＥＤオフ、赤色ＬＥＤオン、緑色ＬＥＤオン、及び青色ＬＥＤオンのモードにすることができる。
【００３９】
また、駆動回路１５０は、２ビットの制御信号Ｓ１、Ｓ２の時分割状態に従い三色ＬＥＤ（赤色ＬＥＤ、緑色ＬＥＤ、青色ＬＥＤ）、または複数個の発光ダイオードのオン／オフ順序を順次に制御することによって、複数色または複数個のＬＥＤを順次に駆動させることができる。三色ＬＥＤのオン／オフ順序を実施例に従って変更することができる。
【００４０】
このような駆動回路１５０は、ＬＥＤパッケージに具現されたり、印刷回路基板に回路的に具現することができる。
【００４１】
図２は、図１の駆動回路を含む発光装置を示す図であり、図３は図２のＡ−Ａ断面図である。
【００４２】
図２及び図３を参照すると、発光装置１０２は、キャビティー１１４を含むパッケージボディー１１０、発光ダイオード１３１、１３２、１３３、及び駆動回路１５０を含む。
【００４３】
パッケージボディー１１０は、印刷回路基板ＰＣＢを有する。パッケージボディ１１０は、シリコン（silicon）やシリコンカーバイド（silicon carbide：ＳｉＣ）、窒化アルミニウム（aluminum nitride；ＡｌＮ）などのセラミックやポリフタルアミド（poly phthal amide：ＰＰＡ）、及び高分子液晶（Liquid Crystal Polymer）などの熱硬化性樹脂のうち、いずれか１つまたは幾つかの混合材料からなることができる。
【００４４】
パッケージボディー１１０は、垂直方向に積層された下部基板１１１及び上部基板１１２を含み、下部基板１１１の上には所定の電極パターンが形成される。
【００４５】
上部基板１１２の中心部にはキャビティー１１４が形成される。ここで、キャビティー１１４は、下部基板１１１の電極パターンが露出されるのに十分な深さで形成される。このようなパッケージボディー１１０を、基板積層構造により得ることができ、または、一体で射出成形することができ、これに限定されない。
【００４６】
下部基板１１１の上には電極１２１、１２２、１２３、１２４が形成され、電極１２１、１２２、１２３、１２４には発光ダイオード１３１、１３２、１３３が電気的に接続される。また、上部基板１１２の内側壁１１６は傾斜して形成され、光反射材料がコーティングされることもできる。
【００４７】
発光ダイオード１３１、１３２、１３３はチップ形態で配置され、第１電極１２１、１２２、１２３及び第２電極１２４にワイヤ１３５により連結される。第１電極１２１、１２２、１２３は駆動回路１５０に連結され、第２電極１２４は接地端子（ＧＮＤ）に連結される。ここで、発光ダイオード１３１、１３２、１３３は、半導体チップの種類に応じて２つの電極１２１、１２２、１２３、１２４にワイヤボンディング、ダイボンディング、またはフリップボンディング方式により連結できる。
【００４８】
パッケージボディー１１０の外側には第１制御信号端子１４１、第２制御信号端子１４２、及び接地端子１４３が配置される。
【００４９】
駆動回路１５０は、パッケージボディー１１０の下部基板１１１の上にＭＯＳトランジスタの組合せにより具現できる。このような駆動回路１５０は、３個の信号端子１４１、１４２、１４３を用いて三色ＬＥＤ１３１、１３２、１３３の点灯順序を順次に制御できる。
【００５０】
駆動回路１５０は、第１及び第２制御信号端子１４１、１４２に入力される２ビットの制御信号の状態に従い上記の＜表１＞のように赤色発光ダイオード１３１、青色発光ダイオード１３２、及び緑色発光ダイオード１３３を順次にオン／オフする。
【００５１】
キャビティー１１４には透明なエポキシまたはシリコンのような樹脂材料がモールディングされる。樹脂材料は表面状態によってフラット形状、凹レンズ形状、または凸レンズ形状を有する。
【００５２】
このような発光装置１０２は、第１及び第２制御信号端子１４１、１４２に入力される２ビットの論理的な信号の順序に従いＬＥＤのオフモード及び色別のＬＥＤのオン／オフモードを順次に制御できる。
【００５３】
図４は、図１の駆動回路を備えたサイドビュー型の表示装置を示す斜視図である。
【００５４】
図４を参照すれば、表示装置２００は、反射プレート２０１、光ガイドプレート２０３、光学シート２０５、表示パネル２０７、及び発光部２７０を含む。ここで、反射プレート２０１、光ガイドプレート２０３、光学シート２０５、及び発光部２７０は照明ユニットとして機能する。
【００５５】
反射プレート２０１は、光ガイドプレート２０３の下部に漏洩される光を反射する。このような反射プレート２０１は、高い光反射率を有するプレートでなされたりシャーシーにコーティングすることもできる。
【００５６】
光ガイドプレート２０３は、入射光を発光領域にガイドし、入射光が面光源形態の光分布を有することができる。このような光ガイドプレート２０３の一面または両面には所定のパターンを形成できる。
【００５７】
光学シート２０５は、拡散シート、水平プリズムシート、垂直プリズムシート、及び輝度増強シートのうちの少なくとも１つを含み、拡散シートは、入射光を拡散し、水平及び垂直プリズムシートは、入射光を水平方向及び垂直方向に集光し、輝度強化シートは、輝度を増強する。このような光学シート２０５は光の輝度分布を均一に表示パネル２０７に照射することができる。
【００５８】
表示パネル２０７の上部及び／または下部には偏光板（図示せず）を付着することもできる。
【００５９】
表示パネル２０７は、ＬＣＤパネルで具現されることができ、光学シート２０５から照射される光を透過させて情報を表示する。
【００６０】
このような表示パネル２０７は、互いに対向する透明基板（図示せず）と、透明基板の間に介在する液晶層（図示せず）を含む。このような表示パネル２０７は、カラーフィルターを利用せず、赤色光、緑色光、及び青色光を透明基板に透過させて画像信号を得るＦＳＣ（Field Sequential Color）方式を利用するようになる。表示パネル２０７のＦＳＣ方式は、１フレームを赤色（Red）、緑色（Green）、及び青色（Blue）の３個のサブフレームに分離し、各サブフレームでは、１フレームの動作と同様に、データアクセス、液晶応答、光透過が順次行われる。
【００６１】
発光部２１０は、光ガイドプレート２０３の入射面に配置され、赤色光、緑色光、及び青色光を順次に放出するようになる。このような三色の光は、光ガイドプレート２０３に順次に入射される。
【００６２】
発光部２１０は、基板２２０と発光ダイオード２３０とを含み、基板２２０の一方の側には駆動回路２５０が配置され、駆動回路２５０は、ドライバー２４０から２つの制御信号Ｓ１、Ｓ２を順次に受信する。
【００６３】
基板２２０の一面には複数個の発光ダイオード２３０がアレイ形態で配置され、赤色ＬＥＤチップ、青色ＬＥＤチップ、及び緑色ＬＥＤチップが各発光ダイオードの上にパッケージ形態で搭載される。ここで、三色のＬＥＤチップを、１つのダイオードにパッケージ形態で搭載したり、赤色ＬＥＤ、青色ＬＥＤ、及び緑色ＬＥＤ上に各々搭載することができる。
【００６４】
発光ダイオード２３０のＬＥＤチップは、駆動回路２５０によってオン／オフされる。このような駆動回路２５０は、図１と同一の回路で構成され、３個の信号ライン（Ｌ１）が各色のＬＥＤチップの第１電極にそれぞれ連結され、１つの接地ライン（Ｌ２）が各ＬＥＤチップの第２電極に連結される。
【００６５】
駆動回路２５０は、２ビットの制御信号Ｓ１、Ｓ２の組合せに従い、ＬＥＤオフ、赤色ＬＥＤオン、緑色ＬＥＤオン、及び青色ＬＥＤオンに制御することによって、ＦＳＣ方式の表示パネルに赤色／緑色／青色光を順次出力することができる。
【００６６】
駆動回路２５０は、２つの制御信号Ｓ１、Ｓ２の論理的な組合せと順序により発光ダイオード２３０のＬＥＤチップの色別のオン／オフを制御するようになる。このような駆動回路２５０は、複数個の発光ダイオード２３０に対し、３個の第１電極ラインＬ１と１つの第２電極ラインＬ２に連結できるので、基板２２０の回路配線を簡単にすることができる。
【００６７】
このようなＦＳＣ方式の表示装置２００では、三色のＬＥＤチップを光源として使用する場合、駆動回路２５０は、ドライバー２４０の制御信号Ｓ１、Ｓ２により発光部２１０の三色のＬＥＤを順次にオン／オフさせることができる。
【００６８】
このような発光部２１０を具備する表示装置２００は、携帯電話機、コンピュータ、またはディジタル放送表示装置などに適用できる。
【００６９】
図５は、本発明に従うトップビュー型の表示装置を示す斜視図であり、図６は、図５の発光部の一例を示す平面図である。
【００７０】
図５を参照すると、表示装置３００は、ボトムカバー３０１、光学シート３０５、表示パネル３０７、発光部３１０、ドライバー３４０、及び駆動回路３５０を含む。上記ボトムカバー３０１は容器形状で形成され、その材料は金属であって、例えばアルミニウム（Ａｌ）、マグネシウム（Ｍｇ）、亜鉛（Ｚｎ）、チタニウム（Ｔｉ）、タンタリウム（Ｔａ）、ハフニウム（Ｈｆ）、ニオビウム（Ｎｂ）などからなることができる。このようなボトムカバー３０１の内周面は、光の反射のために傾斜した構造の側面３０２が形成される。
【００７１】
ボトムカバー３０１には発光部３１０が配置され、発光部３１０は垂直上方向に光を照射するようになる。
【００７２】
光学シート３０５は、拡散板、プリズムシート、及び輝度強化フィルムのうちの 少なくとも１つを含み、表示パネル３０５に照射される光の輝度分布を均一にする。
【００７３】
発光部３１０は、基板３２０、及び発光ダイオード３３０を含み、基板３２０の上には複数個の発光ダイオード３３０がアレイ形態で配置される。この際、各々の発光ダイオード３３０は、三色の発光ダイオードチップ（例:Red/Green/Blue LED chip）で具現されたり各色の発光ダイオードで各々具現できる。
【００７４】
基板３２０の一方の側には図１のような駆動回路３５０が配置され、駆動回路３５０は、ドライバー３４０から出力される２つの制御信号に従い三色の発光ダイオードチップのオン／オフを順次に制御するようになる。即ち、駆動回路３５０は４個の信号ラインで三色のＬＥＤチップのオン／オフを制御できるので、回路設計を簡単にし、空間を減らすことができる。本発明の駆動回路３５０を、各発光ダイオードに配置することもでき、１つの基板に１つずつ配置することもでき、または照明ユニット３２５に１つ配置することもできる。ここで、照明ユニット３２５は、ボトムカバー３０１、光学シート３０５、及び発光部３１０を含む。
【００７５】
これによって、表示パネル３０７は、赤色光、緑色光、及び青色光が３個のサブフレームに透過することによって、各サブフレームでは、表示装置の１フレームの動作と同様に、データアクセス、液晶応答、及び光透過が順次に行われる。このようなＦＳＣ方式の表示装置３００は、三色のＬＥＤチップを光源として使用する場合、三色のＬＥＤチップを順次にオン／オフ駆動させることができる。
【００７６】
図６を参照すると、ボトムカバー３０１に配置された発光部３１０には、複数個の基板３２０がバー形態で配列され、基板３２０の一方の側には駆動回路３５０が配置される。駆動回路３５０は、基板３２０の上に搭載された発光ダイオード３３０の三色のＬＥＤチップを順次に点灯する。
【００７７】
基板３２０の各々に駆動回路３５０が配置されることによって、駆動回路３５０は、４個の信号ラインを通じて、基板３２０の上の発光ダイオード３３０の三色のＬＥＤチップに各々連結される。このような三色のＬＥＤチップは、駆動回路３５０により順次にオン／オフされる。このような駆動回路３５０を、基板の各々に配置したり、発光部３１０に１つだけ配置することもできる。
【００７８】
このような発光部３１０を備える表示装置３００は、コンピュータまたはディジタル放送表示装置などに適用できる。
【００７９】
以上、実施形態を中心として説明したが、これは単に例示に過ぎないものであり、本発明を限定するのでなく、本発明が属する分野の通常の知識を有する者であれば本発明の本質的な特性から外れない範囲で以上に例示されていない種々の変形と応用が可能であることが分かる。例えば、本発明の実施形態に具体的に表れた各構成要素は変形して実施することができる。そして、このような変形と応用に関係した差異点は添付の請求範囲で規定する本発明の範囲に含まれるものと解釈されるべきである。
【産業上の利用可能性】
【００８０】
本発明によれば、２ビットの制御信号で赤色ＬＥＤ、緑色ＬＥＤ、及び青色ＬＥＤの点灯を制御することができる。
【００８１】
本発明によれば、２ビットの制御信号で赤色ＬＥＤ、緑色ＬＥＤ、及び青色ＬＥＤを順次にオン／オフさせることができる。
【００８２】
本発明によれば、三色のＬＥＤの両電極を４個の信号ラインに連結することによって、基板のラインパターンが簡単になり、基板上の空間確保が容易であるという効果がある。
【００８３】
本発明によれば、ＦＳＣ方式の表示装置に適用される発光ダイオード制御回路及びこれを備えた発光装置を提供することができる。
【図１】
2010524252.tif 000004
【図２】
2010524252.tif 000005
【図３】
2010524252.tif 000006
【図４】
2010524252.tif 000007
【図５】
2010524252.tif 000008
【図６】
2010524252.tif 000009
【国際調査報告】
2010524252.tif 000010
2010524252.tif 000011